(57)【特許請求の範囲】
【請求項１】
筺体と、前記筺体内に収納された開閉可能な接点部と、前記接点部に連結され、一部が前記筐体から外部に突出したハンドルと、前記ハンドルの操作により前記接点部を開閉させる開閉機構部と、漏電電流を検出する漏電検出装置と、該漏電検出装置の出力でプランジャを動作させる電磁石装置と、通常状態では前記開閉機構部の前記接点部に対する押圧力を保持した状態で前記接点部を閉路させ、前記プランジャが動作したとき前記開閉機構部の前記押圧力を解除し前記接点部を開路させるラッチ部と、漏電により前記接点部が開路した時に漏電状態であることを表示する漏電動作装置とを備えた漏電遮断器に於いて、前記漏電動作装置は、前記ラッチ部を解除させるカムと、該カムに係合する平板部と、漏電時に漏電状態であることを表示する表示部と、前記開閉機構部に係合する伝達部とを備えた漏電表示片で形成され、
漏電検出時の前記プランジャの動作により前記カムが所定位置まで回動したとき、前記ラッチ部を解除させて前記接点部を開路させると共に前記カムと前記平板部との係合が解除され、前記漏電表示片が回動して前記表示部が漏電状態であることを表示し、前記ハンドルを開位置から閉位置にリセット操作すると前記開閉機構部に係合した前記伝達部を介して前記漏電表示片が漏電検出時と反対方向に回動して前記カムと前記平板部が再係合すると共に前記表示部が漏電状態でないことを表示する特徴とする漏電遮断器。
【請求項２】
カムは漏電表示片の平板部に係合する凸部と、プランジャに係合する斜面部と、ラッチ部に係合する解除部とにより一体的に形成され、前記プランジャが移動したとき、フランジ部が前記斜面部に沿って移動して前記カムが回動して前記凸部と前記平板部との係合が外れ、前記解除部により前記ラッチ部を解除させることを特徴とする請求項１記載の漏電遮断器。
【請求項３】
斜面部をテーパー形状にしたことを特徴とする請求項２記載の漏電遮断器。
【請求項４】
カムと漏電表示片が互いに相反する方向に回動するように付勢させるひねりばねを備えたことを特徴とする請求項１記載の漏電遮断器。
【発明の詳細な説明】
【０００１】
【発明の属する技術分野】
本発明は漏電遮断器に関するもので、特に、漏電により接点部が開路したときに漏電状態であることを表示する漏電動作装置を備えた漏電遮断器に関するものである。
【０００２】
【従来の技術】
図９は、例えば特開平１１−２５８４１号公報に示された従来の漏電遮断器を示す側面断面図である。図１０は図９の漏電遮断器を構成する電磁石装置、連動部材および引き外し部材の関係を示す側面図、図１１は図１０の動作時の状態を示す側面図である。
【０００３】
これらの図において、１は例えば合成樹脂成型材料で形成された筐体、２は合成樹脂成型材料で形成され外部操作により後述の接点部７の開閉を行うハンドル、２ａはハンドル２の押圧部、３は接点部７を開閉させる開閉機構部、４は通常状態では開閉機構部３の接点部７との接圧を保持して閉路させ、漏電発生時は開閉機構部３の保持力を解除し接点部７を開路させるラッチ部、４ａはラッチ部４の引き外し部材である。
【０００４】
５は漏電発生時に図示しない漏電検出手段の信号により動作する電磁石装置、６は漏電状態を外部に表示する漏電表示部、６ａは漏電表示部６を付勢する押しばね、７は開路、閉路の接触部となる接点部、８は電磁石装置５が動作すると吸引されて移動するプランジャ、８ａはプランジャの先端、９は漏電表示リセット時に押し戻される被押圧部、１０はプランジャ８の吸引動作をラッチ部４に伝える連動部材である。
【０００５】
次に、以上のように形成された従来の漏電遮断器に於いて、漏電が発生し、漏電検出装置（図示しない）からの信号で電磁石装置５が動作し、プランジャ８が移動（図１０において右から左）すると、連動部材１０もプランジャ８の先端８ａに押されて同方向に移動し、引き外し部材４ａを押圧することにより、ラッチ部４が動作し開閉機構部３を動作させ、接点部７を開路する。なお、上記の動作中、プランジャ８が移動するとプランジャ８と漏電表示部６との係合が外れ、漏電表示部６が押しばね６ａのばね力により筐体１から突出されて（図９の上方向）、漏電表示を行う。
【０００６】
漏電表示をリセットさせるには、ハンドル２を閉位置（図９の鎖線で示す位置）に移動させると、ハンドル２の押圧部２ａが被押圧部９を押圧して漏電表示部６を押しばね６ａに抗して筐体１内に押し込み（図９の下方向）、既に復帰しているプランジャ８に係合させて、漏電表示部を筐体１内に押し込まれた状態で保持する。
【０００７】
【発明が解決しようとする課題】
従来の漏電遮断器は以上のように構成されているので、漏電時の動作において、電磁石装置５によるプランジャ８に発生した吸引力が連動部材１０を介して引き外し部材４ａに伝達される構造であり、プランジャ８と連動部材１０との間及び連動部材１０と引き外し部材４ａとの間にギャップがあり、このギャップにより伝達ロスが生じ、プランジャ８が移動しても引き外し部材４ａが押圧されず、ラッチ部４が動作しないことにより開閉機構部３が動作せず、接点部７が開路しないことがあるという問題があった。
【０００８】
また、漏電表示及び漏電表示のリセットを行わせる部品である漏電表示部６、押しばね６ａ、ハンドル２の押圧部２ａ、被押圧部９による構成が複雑で大形であり、コストが高くなるという問題があった。
【０００９】
この発明は、上述のような従来の漏電遮断器の問題点を解決するためになされたもので、漏電発生時に確実に開閉機構部を動作させて、接点部を開路させると共に、小形で低コストの漏電遮断器を得ることを目的としている。
【００１０】
【課題を解決するための手段】
（１）この発明に係る漏電遮断器は、接点部を収納した筐体と、該筐体に設けられ一部が外部に突出したハンドルと、該ハンドルの操作により前記接点部を開閉する開閉機構部と、漏電電流を検出する漏電検出手段と、該漏電検出手段の出力でプランジャを動作させる電磁石装置と、通常状態では前記開閉機構部の前記接点部に対する押圧力を保持した状態で前記接点部を閉路させ、前記プランジャが動作したとき前記開閉機構部の押圧力を解除して前記接点部を開路させるラッチ部と、漏電により前記接点部が開路したときに漏電状態であることを表示する漏電動作装置とを備えた漏電遮断器において、前記漏電動作装置は、前記ラッチ部を解除させるカムと、該カムに係合する平板部と漏電時に漏電状態であることを表示する表示部と、前記開閉機構部に係合する伝達部とを備えた漏電表示片で形成され、漏電検出時の前記プランジャの動作により前記カムが所定位置まで回動したとき前記ラッチ部を解除させて前記接点部を開路させると共に前記カムと前記平板部との係合が解除され、前記漏電表示片が回動して前記表示部が漏電状態であることを表示し、前記ハンドルを開位置から閉位置にリセット操作すると前記開閉機構部に係合した前記伝達部を介して前記漏電表示片が漏電検出時と反対方向に回動して前記カムと前記平板部が再係合すると共に前記表示部が漏電状態でないことを表示するものである。
【００１１】
（２）また、カムは漏電表示片の平板部に係合する凸部と、プランジャと係合する斜面部と、ラッチ部に係合する解除部とにより一体的に形成され、プランジャが移動するとフランジ部が前記斜面部に沿って移動して前記カムが回動して前記凸部と前記平板部が外れ、前記解除部により前記ラッチ部を解除させるものである。
【００１２】
（３）また、カムと漏電表示片とが互いに相反する方向に回動するように付勢させるひねりばねを備えたものである。
【００１３】
（４）また、斜面部をテーパー形状にしたものである。
【００１４】
【発明の実施の形態】
実施の形態１．
図１はこの発明の実施の形態1における漏電遮断器の外観斜視図である。図２は図１のＡ−Ａにおける漏電遮断器の閉状態を示す縦側面図、図３は図１のＡ−Ａにおける漏電遮断器の開状態を示す縦側面図、図４は図１のＢ−Ｂにおける漏電遮断器の閉状態を示す縦側面図、図５は図１のＢ−Ｂにおける漏電遮断器の開状態を示す縦側面図、図６は図１の漏電動作装置の拡大斜視図、図７は図６のカムの拡大斜視図、図８は図５の漏電表示片の拡大斜視図である。
【００１５】
図において、１は例えば樹脂成型材料で形成された筐体、１ａは漏電状態であるか否かを表示する後述の表示部６１ａの表示を外部から確認するための漏電表示窓、２は樹脂成型材料で形成され外部操作により接点部７の開閉を行うハンドル、１１は漏電電流を検出する零相変流器で、１２は零相変流器１１に検出された不平衡電流が感度電流以上になった際に出力に信号を出す漏電検出回路で、零相変流器１１及び漏電検出回路１２により漏電検出手段を形成している。
【００１６】
３０はハンドル２の操作により接点部７を開閉する開閉機構部、４０は通常状態では開閉機構部３０の接点部７に対する押圧力を保持した状態で接点部７を閉路させ後述のプランジャ８０が動作すると開閉機構部３０の押圧力を解除し接点部７を開路させるラッチ部、５０は漏電発生時に漏電検出回路１２の信号により動作する電磁石装置である。
【００１７】
６０は漏電動作装置で、漏電表示片６１、カム６２、及びひねりばね６３により形成（図６）されており、漏電表示片６１は、漏電状態であるか否かを表示する表示部６１ａ、開閉機構部３０に係合した伝達部６１ｂ、カム６２に係合した平板部６１ｃ、漏電表示片６１が回動する時の支軸である第１の軸６１ｄ、及びひねりばね６３を保持する保持部６１ｅにより形成され、カム６２は漏電表示片６１の平板部６１ｃに係合した凸部６２ａ、後述のプランジャ８０のフランジ部８０ａが吸引動作時に係合するテーパー形状で形成された斜面部６２ｂ、カム６２が回動する時の支軸である第２の軸６２ｃ、及びラッチ部４０と係合する解除部６２ｄにより形成され、漏電表示片６１及びカム６２は例えば、熱可塑樹脂成型材料により一体的に成型されている。
【００１８】
以上の様に形成された漏電動作装置６０は、ひねりばね６３が漏電表示片６１の保持部６１ｅに保持された状態で漏電表示片６１を第１の軸６１ｄを支軸にＦ方向（図６に示す）に付勢させると共に、カム６２を第２の軸６２ｃを支軸にＧ方向に付勢させている。
【００１９】
なお、上記実施例では漏電表示片６１の保持部６１ｅにひねりばね６３を保持させて漏電表示片６１及びカム６２を付勢させたが、筐体１に保持部を配設させて付勢させる様にしても良く、また、ひねりばねの代わりに押しばねを用いて、漏電表示片６１及びカム６２を夫々、付勢するようにしても良い。
８０は電磁石装置５０が動作すると吸引されて移動するプランジャ、８０ａはプランジャ８０の一部を形成するフランジ部である。
【００２０】
次に、以上のように形成されたこの発明の実施の形態1における漏電遮断器の動作について説明する。漏電が発生し、零相変流器１１により不平衡電流が検出され感度電流以上になると漏電検出回路１２が出力信号を出力し電磁石装置５が動作し、プランジャ８０が移動（図２において左から右）し、フランジ部８０ａがカム６２の斜面部６２ｂに係合しカム６２がＨ方向（図６に示す）に回動し、解除部６２ｄがラッチ部４０を解除させ、ラッチ部４０が動作し開閉機構部３０を動作させ、接点部７を開路する。
【００２１】
上記の接点部７の開路動作と並行して、プランジャ８０が移動するとカム６２の凸部６２ａと漏電表示片６１の平板部６１ｃとの係合が外れ、漏電表示片６１がひねりばね６３のばね力によりＦ方向（図６に示す）に回動し、表示部６１ａが筐体１の漏電表示窓１ａ位置まで移動することにより漏電表示を行う（図３）。
【００２２】
次に、漏電表示をリセットさせる動作について説明する。ハンドル２の位置を開位置（図３）から閉位置（図４）に移動させると、ハンドル２に連動して開閉機構部３０が支点３１を軸としてＩ方向（図５）に回動し接点部７が閉路すると共に、開閉機構部３０に係合した漏電表示片６１の伝達部６１ｂがＪ方向（図６に示す）に回動し、同時にカム６２がひねりばね６３の付勢力によりＧ方向（図６に示す）に回動し、平板部６１ｃとカム６２の凸部６２ａとの係合が復帰し、表示部６１ａが筐体１の漏電表示窓１ａから外れた位置に移動し、漏電状態が解除されたことを表示する（図２）。
【００２３】
なお、プランジャ８０のフランジ部８０ａと係合するカム６２の斜面部６２ｂはテーパー状にしてあり（図７）、電磁石装置５が発生するプランジャ８０を吸引する吸引力に応じて、そのテーパー角度を設定する（吸引力が小さい場合は傾斜を小さくする）ことによりプランジャ８０を確実に動作できるようにすることが可能である。
【００２４】
【発明の効果】
（１、２）以上のように、この発明の漏電遮断器によれば、プランジャの動作でカムを回動させてラッチ部を解除させると共に、漏電表示片を回動させて漏電を表示させるようにしたので、漏電発生時に確実に開閉機構部を動作させて接点部を開路させると共に、小型で低コストにすることができる。
【００２５】
（３）また、斜面部をテーパー形状にしたので、電磁石装置が発生するプランジャを吸引する吸引力に応じて、その傾斜角度を設定することによりプランジャを確実に動作できるようにすることができる。
【００２６】
（４）更に、ひねりばねを用いてカムと漏電表示片とが互いに相反する方向に付勢されるようにしたので、小型で簡単な構造で確実に動作させることができる。
【図面の簡単な説明】
【図１】  この発明の実施形態１の漏電遮断器の外観斜視図である。
【図２】  図１の線Ａ−Ａにおける漏電遮断器の閉状態を示す側面断面図である。
【図３】  図１の線Ａ−Ａにおける漏電遮断器の開状態を示す側面断面図である。
【図４】  図１の線Ｂ−Ｂにおける漏電遮断器の閉状態を示す側面断面図である。
【図５】  図１の線Ｂ−Ｂにおける漏電遮断器の開状態を示す側面断面図である。
【図６】  図１の漏電遮断器の漏電動作装置の拡大斜視図である。
【図７】  図６のカムの拡大斜視図である。
【図８】  図６の漏電表示片の拡大斜視図である。
【図９】  従来の漏電遮断器を示す側面断面図である。
【図１０】  図９の漏電遮断器を構成する電磁石装置、連動部材および引き外し部材の関係を示す側面図である。
【図１１】  図１０の動作時の状態を示す側面図である。
【符号の説明】
１  筐体、１ａ  漏電表示窓、２  ハンドル、７  接点部、１１  零相変流器、１２  漏電検出回路、３０  開閉機構部部、４０  ラッチ部、５０  電磁石装置、６０  漏電動作装置、６１  漏電表示片、６１ａ  表示部、６１ｂ  伝達部、６１ｃ  平板部、６１ｄ  第１の軸、６１ｅ  保持部、６２  表示カム、６２ａ  凸部、６２ｂ  斜面部、６２ｃ  第２の軸、６２ｄ  解除部、６３  ひねりばね、８０  プランジャ、８０ａ  フランジ部。
【図１】
0004322417.tif 000002
【図２】
0004322417.tif 000003
【図３】
0004322417.tif 000004
【図４】
0004322417.tif 000005
【図５】
0004322417.tif 000006
【図６】
0004322417.tif 000007
【図７】
0004322417.tif 000008
【図８】
0004322417.tif 000009
【図９】
0004322417.tif 000010
【図１０】
0004322417.tif 000011
【図１１】
0004322417.tif 000012